(57)【特許請求の範囲】
【請求項１】
データベースと、タッチパネル表示器と、制御手段を備え、利用者がデータベースから選出したリクエスト曲の楽曲ＩＤをカラオケ演奏装置に転送する選曲予約装置であって、
データベースは、楽曲ＩＤと、かな文字表記の曲名読みデータと、表示用オリジナル表記の曲名表記データと、ジャンル名との対応付け情報を集約し、
タッチパネル表示器は、制御手段の制御に従って情報を表示する表示器と、当該表示器に重ねられたタッチ入力の検出を可能とする透明タッチパネルとで構成され、
制御手段は、タッチパネル表示器に検索メニューと入力文字欄と検索結果欄と文字入力パネルを表示させて曲名検索処理を行い、
曲名検索処理は、文字入力パネルがタッチ入力されるたびに、タッチされた文字の入力文字欄への追加表示と、入力文字欄に形成されたかな文字列によるデータベースの曲名読みデータの検索を行い、検索抽出された複数の曲名を曲名表記データに基づいて検索結果欄に一覧表示させ、
制御手段は、検索結果欄に複数の曲名が一覧表示されている状態において検索メニュー中の絞り込みボタンがタッチ入力された際、曲名検索処理から絞り込み検索処理に移行し、
絞り込み検索処理は、文字入力パネルに代えて複数のジャンル名を列記したジャンル一覧を表示させ、ジャンル一覧中から１つのジャンル名がタッチ入力された際、データベースに基づいて、検索結果欄に表示されている複数の曲名の中からタッチ入力されたジャンル名に該当する曲名以外の曲名を消去する
選曲予約装置。
【発明の詳細な説明】
【０００１】
【発明の属する技術分野】
この発明は、所定の検索手段により利用者に楽曲を検索させて、その検索結果から利用者が選択した楽曲をカラオケ演奏装置に予約登録する選曲予約装置に関し、特に、利用者がより簡便かつ迅速に検索できるようにするための技術に関する。
【０００２】
【従来の技術】
カラオケ演奏装置におけるリクエスト曲の予約は、冊子形態の目次本から目的とする楽曲を見つけだし、その楽曲に付記されている楽曲ＩＤをリモコン装置などによりカラオケ演奏装置に登録するといった形式が一般的であるが、最近では、利用者がより楽しく簡単に予約操作を行えるようにするための選曲予約装置なる装置も登場している（例えば、特願平１０−１８２０１８を参照）。
【０００３】
選曲予約装置は、キーボードやタッチパネルなどの操作入力装置とディスプレイを用いて構成される小型のコンピュータ装置をベースとして構成され、カラオケ演奏装置とは、ＲＳ−２３２Ｃインタフェースを介して接続する。また、装置内のハードディスク装置に楽曲のジャンルやタイトル、年代、タイアップ銘柄（その楽曲をＴＶコマーシャルなどの宣伝広告に採用した商品名）、歌手名、作詞家、作曲家などの所定の検索キーによって分類整理された目次情報を格納するデータベースを保有している。
【０００４】
選曲予約装置は、利用者に楽曲を選曲させるにあたり、まず、ディスプレイに所定の入力欄を表示して利用者に検索文字列を入力させ、利用者の検索実行指示を待ってから入力された検索文字列に対応する楽曲の曲名を前記データベースから検索し、さらに、その結果をディスプレイに一覧形式で表示する。そして、この中から利用者が選択した楽曲の楽曲ＩＤをカラオケ演奏装置に転送し、その楽曲をカラオケ演奏装置に予約登録する。
【０００５】
【発明が解決しようとする課題】
ところで、従来の選曲予約装置は、入力された検索文字列を先頭から含んでいる曲名を検索する前方一致検索や、逆に、入力された検索文字列を後尾から含んでいる曲名を検索する後方一致検索、さらに、検索文字列を一部に含む曲名を検索する部分一致検索などの多彩な検索機能を行えるようになっているが、カラオケを利用する人々の中にはコンピュータを使った情報検索の仕組みについての基礎的な知識がない人も多い。このような人にとっては「前方一致」「後方一致」「部分一致」がなにを意味しているのか最初はわからないであろうし、また、少し使い続ければその意味を感覚的に理解できるかもしれないが、そのような学習プロセスを必要とするようでは、とても実用的な「便利商品」であるとはいえない。
【０００６】
一方、本発明者らが調査したところ、利用者は、まず、試しに適当にうろ覚えの曲名の一部などを入力してとりあえず一度検索指示操作を行って選曲予約装置が提示する検索結果を確認し、さらに、検索結果から連想されるより確度の高い検索文字を再入力する、といった一連の操作を繰り返し行いながら最終的に目的とする楽曲に辿り着くといった具合に選曲予約装置を活用していることが比較的多いこともわかっている。
【０００７】
本発明はこのような点に鑑みてなされたものであって、従来よりも簡単かつ迅速に楽曲を選曲することができる選曲予約装置を提供することを目的とする。
【０００８】
【課題を解決するための手段】
この発明に係る選曲予約装置は、分説すると、つぎの事項（１）〜（７）により特定されるものである。
（１）データベースと、タッチパネル表示器と、制御手段を備え、利用者がデータベースから選出したリクエスト曲の楽曲ＩＤをカラオケ演奏装置に転送する選曲予約装置であること
（２）データベースは、楽曲ＩＤと、かな文字表記の曲名読みデータと、表示用オリジナル表記の曲名表記データと、ジャンル名との対応付け情報を集約すること
（３）タッチパネル表示器は、制御手段の制御に従って情報を表示する表示器と、当該表示器に重ねられたタッチ入力の検出を可能とする透明タッチパネルとで構成されること
（４）制御手段は、タッチパネル表示器に検索メニューと入力文字欄と検索結果欄と文字入力パネルを表示させて曲名検索処理を行うこと
（５）曲名検索処理は、文字入力パネルがタッチ入力されるたびに、タッチされた文字の入力文字欄への追加表示と、入力文字欄に形成されたかな文字列によるデータベースの曲名読みデータの検索を行い、検索抽出された複数の曲名を曲名表記データに基づいて検索結果欄に一覧表示させること
（６）制御手段は、検索結果欄に複数の曲名が一覧表示されている状態において検索メニュー中の絞り込みボタンがタッチ入力された際、曲名検索処理から絞り込み検索処理に移行すること
（７）絞り込み検索処理は、文字入力パネルに代えて複数のジャンル名を列記したジャンル一覧を表示させ、ジャンル一覧中から１つのジャンル名がタッチ入力された際、データベースに基づいて、検索結果欄に表示されている複数の曲名の中からタッチ入力されたジャンル名に該当する曲名以外の曲名を消去すること
【００１２】
【発明の実施の形態】
＝＝＝カラオケシステムの全体構成＝＝＝
以下、図１に示す本発明による選曲予約装置を用いたカラオケシステムを一実施例として説明する。
【００１３】
＜カラオケ演奏装置＞
カラオケ演奏装置３は、ディスプレイ７、スピーカ９、マイク１１、装置全体を統括制御するメインコンピュータ１３、カラオケ伴奏音楽の起源となる伴奏データおよびカラオケ伴奏音楽に同期させてディスプレイ７に表示される歌詞映像の起源となる歌詞描出データなどからなるカラオケデータが蓄積されているハードディスク装置１５、ＤＶＤ−ＲＯＭの映像を再生出力するＤＶＤ−ＲＯＭ装置１７およびＤＶＤ−ＲＯＭ装置１７の再生映像や前記歌詞描出データに基づいて生成される歌詞映像をディスプレイ７に表示出力する映像プロセッサ１９、マイク１１から入力される音声と前記伴奏データに基づいて生成されるカラオケ伴奏音楽をスピーカ９に音声出力する音声プロセッサ２１、外部機器と接続するためのＲＳ−２３２Ｃインターフェース２３、操作表示パネル２４などを備えて構成される。
【００１４】
＜選曲予約装置＞
選曲予約装置５は、ＣＰＵ・ＲＯＭ・ＲＡＭ等を含んで構成されるメインプロセッサ３１、ハードディスク装置３３、カラオケ演奏装置３と接続するためのＲＳ−２３２Ｃインタフェース３５、ＴＦＴカラー液晶タッチパネル３７、ＴＦＴカラー液晶タッチパネルの液晶部分の表示制御を行う映像制御装置３９、ＴＦＴカラー液晶タッチパネル３７のタッチパネル部分の制御を行うタッチパネルコントローラ４１などにより構成される。
【００１５】
＜ファイル構成＞
また、選曲予約装置５のハードディスク装置３３には、検索ファイルと、楽曲目次ファイルがある。
【００１６】
−検索ファイル−
検索ファイルには、以下の種類のテーブルが格納されている。なお、各テーブルのデータ構造の概念を図２に模式的に示している。
【００１７】
［曲名検索テーブル］…かな表記された各カラオケ楽曲の曲名が各楽曲ＩＤごとに記述されている。
［作詞者検索テーブル］…かな表記された作詞者名と、その作詞者によって作詞されたカラオケ楽曲の楽曲ＩＤとの対応関係が記述されている。
［作曲者検索テーブル］…かな文字表記された作曲者名と、その作曲者によって作曲されたカラオケ楽曲の楽曲ＩＤとの対応関係が記述されている。
［歌手名（アーティスト名）検索テーブル］…かな文字表記された歌手名と、その歌手が歌っているカラオケ楽曲の楽曲ＩＤとの対応関係が記述されている。
［選曲頻度検索テーブル］…各カラオケ楽曲の楽曲ＩＤごとに各カラオケ楽曲の過去の選曲頻度（ベスト）が記述されている。
［ジャンル検索テーブル］…各カラオケ楽曲の属するジャンル（ロック、ポップス等）が各カラオケ楽曲の楽曲ＩＤごとに記述されている。
［タイアップ検索テーブル］…カラオケ楽曲の楽曲ＩＤと、そのカラオケ楽曲が利用されたタイアップ商品の銘柄名が対応づけられている。
［年代検索テーブル］…各カラオケ楽曲の楽曲ＩＤごとに、そのカラオケ楽曲が発表された年代が記述されている。
［主題歌検索テーブル］…カラオケ楽曲の楽曲ＩＤと、そのカラオケ楽曲を主題歌として用いたＴＶ番組やラジオ番組などのタイトル名とが対応づけされて記述されている。
［歌いだし歌詞検索テーブル］…各カラオケ楽曲の楽曲ＩＤごとに、そのカラオケ楽曲のかな文字表記された所定長さの歌いだし部分の歌詞文字列が記述されている。
【００１８】
−楽曲目次ファイル−
楽曲目次ファイルには、各カラオケ楽曲ごとに用意された選曲予約装置５による検索結果の表示用に用いられる文字列であるオリジナル表記の曲名群、歌手名群、作詞者名群、作曲者名群、歌いだし歌詞群が、それぞれ曲名ポインタ、歌手名ポインタ、作詞者ポインタ、作曲者ポインタ、歌詞ポインタに対応づけされて記述されている表示名称テーブルと、カラオケ楽曲の楽曲ＩＤと前記曲名ポインタ・前記歌手名ポインタ・前記作詞者ポインタ・前記作曲者ポインタ・前記歌詞ポインタ・そのカラオケ楽曲のジャンル名・そのカラオケ楽曲が発表された年代との対応が記述されているポインタ参照テーブルの２つのテーブルが格納されている。図３に表示名称テーブルおよびポインタ参照テーブルを示す。
【００１９】
＝＝＝選曲装置の動作＝＝＝
ここでは、以上に説明した選曲予約装置５によるリクエスト曲の選曲予約手順について説明する。選曲予約装置５が検索入力操作の待機状態においてＴＦＴカラー液晶タッチパネル３７に表示する画面を図４に示す。この画面上部には検索キーの入力欄５１が、また、画面中央には検索結果の表示領域５３がある。また、画面下部には各種の検索メニュー５５が並んでいる。また、選曲予約装置５は、利用者の入力インタフェースとして、ＴＦＴカラー液晶タッチパネル３７に文字入力パネル５７を表示して、この一覧に利用者がタッチした位置のかな文字コードを取得する。図４にも示されているように、文字入力パネル５７は、かな文字の入力受付状態になっており、選曲予約装置５は、利用者が「な」の部分に触れたことを検知して「な」行の「にぬねの」の部分を表示している。このように文字入力パネル５７は、表示領域５３に表示されている他の情報（検索結果等）が文字入力パネル５７によって隠れてしまわぬよう、必要な部分のみを画面上に表示するようになっている。
【００２０】
さらに、選曲予約装置５は、標準の検索メニューとして、曲名および歌手名の２通りの検索機能を備えており、利用者は、前記検索メニュー５５のいずれかを選択（その部分に触れる）することで、曲名もしくは歌手名のどちらか一方の検索機能を選択することができる。この選曲予約装置５は起動時において曲名による検索入力を受け付ける状態にデフォルト設定されている。
【００２１】
つぎに、前記曲名の検索機能を例として、選曲予約装置５による楽曲の選曲シーケンスについて説明する。選曲予約装置５は、曲名による検索入力の受け付け状態において、利用者により検索キーの入力欄５１に新たにかな文字が入力されたり、既に入力されている文字列に訂正や削除などが行われるたびごとに、以下の▲１▼〜▲４▼のシーケンスを実行する。
【００２２】
▲１▼検索キー入力欄５１に入力されている文字列をメインプロセッサ３１のレジスタに一時記憶する。
▲２▼前記レジスタに記憶されているかな文字列を検索条件として前記曲名検索テーブルからその文字列を曲名の先頭から含んだ楽曲の楽曲ＩＤをすべて抽出する。
▲３▼抽出した各楽曲ＩＤに対応する曲名および歌手名に対応するポインタをポインタ参照テーブルにより調べ、さらに、表示名称テーブルからそのポインタに対応する各楽曲ＩＤの表示用オリジナル表記の曲名および歌手名を取得する。
▲４▼取得した曲名の「あいうえお順」にソート（曲名が同じ場合にはさらに歌手名を第２のキーとして歌手名の「あいうえお順」にソート）し、その上位から表示可能な曲数分の曲名および歌手名を前記表示領域５３に一覧表示する。
【００２３】
なお、前記曲名検索テーブル自体を、あらかじめ、曲名の「あいうえお順」にソートしておくことで、▲４▼のシーケンスにおけるソート処理を省略することができる。
【００２４】
一例として検索キーの入力欄５１に「あいの」の文字が入力されている状態を図５に、また、曲名の検索キーとして「あいのた」までが入力された状態を図６に示す。図６の例ではこの段階で表示領域５３に一覧表示される楽曲が既に数曲程度にまで絞り込まれている。通常、カラオケ演奏装置により演奏可能な楽曲は数千曲程度であるため、この程度の文字列を入力するだけで楽曲を数十曲程度にまで絞り込むことができる。
【００２５】
また、選曲予約装置５は、以上に説明した「曲名」による検索結果から、ジャンルなどの属性によりさらに対象を絞り込むための絞り込み検索機能を備えている。絞り込み検索を行う場合、利用者は前記検索メニュー５５の「絞り込み」ボタンを選択する。「絞り込み」メニューが選択された際に表示される画面を図７に示す。この画面には、ベスト、ジャンル、タイアップ、歌いだし歌詞、年代、主題歌、作曲家、作詞家などの項目パネル６５が表示されている。利用者はこの中から項目を選択する。図８は前記項目パネル６５から「ジャンル」が選択され選曲予約装置５がジャンル一覧６７を表示した状態を示している。この状態で利用者が、例えば、「演歌」を選択すると、選曲予約装置５はジャンル検索テーブルを参照し、既に絞り込まれていて表示領域５３に表示しきれない分も含む楽曲ＩＤの中から「演歌」に分類されている楽曲ＩＤを選出してその結果を表示領域５３に再表示する。利用者は、表示領域５３に目的とする楽曲が見つかると、ＴＦＴカラー液晶タッチパネル３７上のその楽曲の表示位置に触れてその楽曲を選択する。そして、選曲予約装置５は、利用者が選択した楽曲に対応する楽曲ＩＤをカラオケ演奏装置３に転送する。これを受けてカラオケ演奏装置３は、選曲予約装置５から転送されてきた楽曲ＩＤをリクエスト曲の予約テーブルに登録し、予約順に従って予約テーブルに登録されているカラオケ楽曲の演奏を行う。
【００２６】
ところで、以上に選曲予約装置は有線方式のインタフェースであるＲＳ−２３２Ｃによりカラオケ演奏装置と接続する構成であるが、ＩｒＤＡ（Infrared Data Association ）規格などの無線方式によりカラオケ演奏装置と接続する構成としてもよい。
【００２７】
【発明の効果】
以上に説明したように、本発明による選曲予約装置は、入力操作が行われる度ごとに自動的に再検索を行ってその結果を表示し直すようにしているため、利用者は、入力操作の度ごとに即時にその検索結果を確認することができ、従来よりも簡単かつ迅速に目的とする楽曲を探し出すことができる。
【００２８】
また、本発明による選曲予約装置は、かな文字入力による曲名もしくは歌手名による検索により充分に楽曲を絞り込むことができなかった場合に、曲名もしくは歌手名によりすでに選出した楽曲に対し、さらにジャンルなどの属性により楽曲を絞り込むこともできるようにしたため、利用者は自分が覚えているキーワードをフルに活用して検索を進めることができ、従来よりも容易かつ迅速に目的とする楽曲を探し出すことができる。
【図面の簡単な説明】
【図１】本発明の一実施例によるカラオケシステムの概略構成を示す図である。
【図２】本発明の一実施例による検索ファイルにおける各検索テーブルのデータ構造を示す図である。
【図３】本発明の一実施例による楽曲目次ファイルにおけるポインタ参照テーブルおよび表示名称テーブルのデータ構造を示す図である。
【図４】本発明の一実施例における、選曲予約装置が検索入力操作の待機状態においてＴＦＴカラー液晶タッチパネルに表示する画面を示す図である。
【図５】本発明の一実施例における、検索キーの入力欄に「あいの」が入力されている状態を示す図である。
【図６】本発明の一実施例における、検索キーの入力欄に「あいのた」が入力されている状態を示す図である。
【図７】本発明の一実施例における、「絞り込み」メニューが選択された際に表示される画面を示す図である。
【図８】本発明の一実施例における、利用者が「絞り込み」メニューから「ジャンル」を選択した際に表示される画面を示す図である。
【符号の説明】
３  カラオケ演奏装置
５  選曲予約装置
３３  ハードディスク装置
３７  ＴＦＴカラー液晶タッチパネル
５１  検索キー入力欄
５３  表示領域
５５  検索メニュー
５７  文字入力パネル
６５  項目パネル
６７  ジャンル一覧
【図１】
0004416852.tif 000002
【図２】
0004416852.tif 000003
【図３】
0004416852.tif 000004
【図４】
0004416852.tif 000005
【図５】
0004416852.tif 000006
【図６】
0004416852.tif 000007
【図７】
0004416852.tif 000008
【図８】
0004416852.tif 000009